(57)【特許請求の範囲】
【請求項１】
装置本体に回動可能に支持されたハンドル部材と、上記ハンドル部材の回動軸に係合することにより上記ハンドル部材を回動不能にロックすると共に、上記ハンドル部材の回動軸から離脱することにより上記ロックを解除するストッパー部材と、このストッパー部材を上記回動軸と係合するロック位置方向へ付勢する付勢部材と、を有するロック機構において、
上記ハンドル部材の回動軸は、同軸上の離間した２箇所に配置され、
上記ストッパー部材は、上記各回動軸にそれぞれ係合／離脱可能となるように配置され、
上記付勢部材は、上記各ストッパー部材を、上記各回動軸に係合するロック位置方向へ付勢し、
上記各ストッパー部材に、上記各ストッパー部材と一体的に、上記各回動軸の軸方向にスライド移動するスライド部材をそれぞれ設け、
上記装置本体に回動可能にロック／解除切り換え部材を備え、
上記ロック／解除切り換え部材の回動軸の径方向外側に突出し、上記ロック／解除切り換え部材が回転されたときに、上記各スライド部材に対して、ロック位置方向と反対方向で係合する係合部を設けている、
ことを特徴とするハンドル部材のロック機構。
【請求項２】
装置本体に回動可能に支持されたハンドル部材と、上記ハンドル部材の回動軸に係合することにより上記ハンドル部材を回動不能にロックすると共に、上記ハンドル部材の回動軸から離脱することにより上記ロックを解除するストッパー部材と、このストッパー部材を上記回動軸と係合するロック位置方向へ付勢する付勢部材と、を有するロック機構において、
上記ハンドル部材は、外形がコの字状に形成され、その両端に長手方向内側に突出するように上記回動軸が同軸上にそれぞれ設けられ、
上記ストッパー部材は、上記各回動軸にそれぞれ係合／離脱可能となるように配置され、
上記付勢部材は、上記各ストッパー部材を、上記各回動軸に係合するロック位置方向へ付勢し、
上記各ストッパー部材に、上記各ストッパー部材と一体的に、上記各回動軸の軸方向にスライド移動するスライド部材をそれぞれ設け、
上記装置本体に回動可能にロック／解除切り換え部材を備え、
上記ロック／解除切り換え部材の回動軸の径方向外側に突出し、上記ロック／解除切り換え部材が回転されたときに、上記各スライド部材に対して、ロック位置方向と反対方向で係合する係合部を設けている、
ことを特徴とするハンドル部材のロック機構。
【請求項３】
前記ハンドル部材の両端にそれぞれ設けられた前記各回動軸と、当該各回動軸に係合／離脱可能な前記各ストッパー部材と、当該各ストッパー部材を付勢する前記各付勢部材とが、各々同一部材で構成され左右対称に配置されたことを特徴とする請求項１または２記載のハンドル部材のロック機構。
【請求項４】
前記付勢部材が、前記ストッパー部材と一体的に設けられ、前記ロック／解除切り換え部材に係合する部材に一体的に形成されたことを特徴とする請求項１、２または３記載のハンドル部材のロック機構。
【請求項５】
装置本体と、この装置本体に回動可能に支持されたハンドル部材と、
上記ハンドル部材の回動軸に係合することにより上記ハンドル部材を回動不能にロックすると共に、上記ハンドル部材の回動軸から離脱することにより上記ロックを解除するストッパー部材と、このストッパー部材を上記回動軸と係合するロック位置方向へ付勢する付勢部材と、を有するロック機構付き可搬型装置において、
上記ハンドル部材の回動軸は、同軸上の離間した２箇所に配置され、
上記ストッパー部材は、上記各回動軸にそれぞれ係合／離脱可能となるように配置され、
上記付勢部材は、上記各ストッパー部材を、上記各回動軸に係合するロック位置方向へ付勢し、
上記各ストッパー部材に、上記各ストッパー部材と一体的に、上記各回動軸の軸方向にスライド移動するスライド部材をそれぞれ設け、
上記装置本体に回動可能にロック／解除切り換え部材を備え、
上記ロック／解除切り換え部材の回動軸の径方向外側に突出し、上記ロック／解除切り換え部材が回転されたときに、上記各スライド部材に対して、ロック位置方向と反対方向で係合する係合部を設けている、
ことを特徴とするロック機構付き可搬型装置。
【発明の詳細な説明】
【０００１】
【発明の属する技術分野】
本発明は、ラジオ付きカセットレコーダー等、持ち運び可能な装置等に取り付けられるハンドル部材のロック機構の改良およびロック機構付き可搬型装置に関する。
【０００２】
【従来の技術】
従来から、ラジオ付きカセットレコーダー等の持ち運び可能な可搬型装置の本体には、持ち運び用の取っ手となるハンドル部材が備えられている。ハンドル部材は、外観上および機能上、持ち運び時以外は収納できることが望ましい。そのため、ハンドル部材を本体に対して回動自在とし、持ち運び時以外は本体の所定位置にはまり込むように収納される構成が一般的となっている。また、ハンドル部材を本体内部に完全に収納することが可能なタイプのものもある（特開平１１−４６８３６号公報等参照）。
【０００３】
なお、これらのハンドル部材を収納可能な可搬型装置は、持ち運び時においては、ハンドル部材が回動しないように所定の位置でロックされるように構成される。すなわち、持ち運びの安全性や容易性を考慮し、ハンドル部材が本体に対して回動したり上下動したりしないようにするためのロック機構がハンドル部分に設けられている。
【０００４】
従来のラジオ付きカセットレコーダーに用いられるハンドル部材のロック機構の一例を、図９から図１１を用いて説明する。略コの字状のハンドル部材１は、その端部１ａ，１ａが回動支点となる。すなわち、ハンドル部材１の各端部１ａ（図１０においては一方のみを図示）には、回動軸２がインサート成形により一体的に固定されている。なお、図１０においては、回動軸２が配置される孔１ｂが示されている。
【０００５】
そして、回動軸２は、本体３に設けられた本体係合部３とカバー４との間に挟持された状態でネジ止め固定された軸受け５に回動自在に支持される。そして、回動軸２の先端部分２ａは、装置本体に対してスライド移動可能なストッパー部材６に対して係合／離脱可能となる。なお、回動軸２は、先端部分２ａとストッパー部材６との係合が外れた状態でかつストッパー部材６がバネ部材７の付勢力によって当該先端部分２ａに押し付けられている場合、先端部分２ａがストッパー部材６に摺動しながら回転することが可能となっている。
【０００６】
ストッパー部材６は、付勢部材となるＣ字型のバネ部材７によって、回動軸２と係合する方向に付勢される。すなわち、バネ部材７は、カバー４の周囲を覆うように取り付けられ、隙間を形成する両先端部分７ａ，７ａがストッパー部材６と係合しており、ストッパー部材６をそのバネ付勢力により回動軸２側へ付勢する。
【０００７】
ハンドル部材１を回転させると、回動軸２の先端部分２ａがストッパー部材６の係合部６ａの先端面に対して摺動しながら回転する。そして、ハンドル部材１が所定の位置（持ち運び用位置＝ハンドル部材１が装置本体の上面に対して垂直に立つ位置）まで回動すると、回動軸２の先端部分２ａがストッパー部材６の係合部６ａ内にはまり込む。このはまった状態（係合している状態）時は、回動軸２およびこの回動軸２と一体のハンドル部材１は回動できない。すなわち、ハンドル部材１は、ストッパー部材６によって装置本体に対して回動不能にロックされる。
【０００８】
一方、図９および図１１に示すように、このロック状態から各ストッパー部材６のレバー部６ｂ，６ｂを矢示Ｚ，Ｚ’方向にそれぞれ引っ張って、ストッパー部材６をバネ部材７の付勢力に抗してスライド移動させると、ストッパー部材６が回動軸２からそれぞれ離れる。この離れた状態（係合していない状態）時は、回動軸２はハンドル部材１と共に装置本体に対して自在に回動できる。すなわち、ハンドル部材１および回動軸２は、装置本体に対して回動可能な状態となる。なお、レバー部６ｂ，６ｂから手を離すと、バネ部材７の付勢力によって、各ストッパー部材６は元の位置に戻る方向、すなわち回動軸２と係合する位置方向へスライド移動する。
【０００９】
【発明が解決しようとする課題】
上述したように、図９から図１１に示された従来のハンドル部材１のロック機構では、ハンドル部材１のロック状態を解除して回動させるためには、ハンドル部材１の両端部１ａ，１ａにそれぞれ配置された両回動軸２と各ストッパー部材６との係合を各バネ部材７のバネ付勢力に抗して外し、その状態でさらにハンドル部材１を回動させる必要がある。すなわち、各レバー６ｂ，６ｂで各ストッパー部材６を内側方向に引っ張った状態で、ハンドル部材１を回さなくてはならない。したがって、これら３つの動作を同時に行う必要があり、非常に操作しにくい。
【００１０】
なお、ハンドル部材１を、回動軸２とストッパー部材６との係合により回動不能とするため、この係合力はある程度大きな力に設定しておく必要がある。そのため、この係合力を発生させるバネ付勢力に抗してストッパー部材６を引っ張るにはある程度大きな力を要する。
【００１１】
また、ハンドル部材を本体内部に完全に収納することが可能なタイプの持ち運び可能な装置（特開平１１−４６８３６号公報参照）もある。しかし、このタイプの装置は、ハンドル部材を本体内部に収納したり、あるいは持ち運ぶために本体の外部に突出させてロックしたりするための内部機構が非常に複雑なものとなっており、部品点数を多く必要とする。
【００１２】
そこで、本発明は、上述の問題に鑑みて、部品点数の少ない簡単な構成で、しかもハンドル部材の取り扱い時の操作性を向上することが可能なハンドル部材のロック機構およびロック機構付き可搬型装置を提供することを目的とする。
【００１３】
【課題を解決するための手段】
かかる目的を達成するため、本発明は、装置本体に回動可能に支持されたハンドル部材と、ハンドル部材の回動軸に係合することによりハンドル部材を回動不能にロックすると共に、ハンドル部材の回動軸から離脱することによりロックを解除するストッパー部材と、このストッパー部材を回動軸と係合するロック位置方向へ付勢する付勢部材と、を有するロック機構において、ハンドル部材の回動軸は、同軸上の離間した２箇所に配置され、ストッパー部材は、各回動軸にそれぞれ係合／離脱可能となるように配置され、付勢部材は、各ストッパー部材を、各回動軸に係合するロック位置方向へ付勢し、各ストッパー部材に、各ストッパー部材と一体的に、各回動軸の軸方向にスライド移動するスライド部材をそれぞれ設け、装置本体に回動可能にロック／解除切り換え部材を備え、ロック／解除切り換え部材の回動軸の径方向外側に突出し、ロック／解除切り換え部材が回転されたときに、各スライド部材に対して、ロック位置方向と反対方向で係合する係合部を設けていることを特徴としている。
【００１４】
また、他の本発明は、装置本体に回動可能に支持されたハンドル部材と、ハンドル部材の回動軸に係合することによりハンドル部材を回動不能にロックすると共に、ハンドル部材の回動軸から離脱することによりロックを解除するストッパー部材と、このストッパー部材を回動軸と係合するロック位置方向へ付勢する付勢部材と、を有するロック機構において、ハンドル部材は、外形がコの字状に形成され、その両端に長手方向内側に突出するように回動軸が同軸上にそれぞれ設けられ、ストッパー部材は、各回動軸にそれぞれ係合／離脱可能となるように配置され、付勢部材は、各ストッパー部材を、各回動軸に係合するロック位置方向へ付勢し、各ストッパー部材に、各ストッパー部材と一体的に、各回動軸の軸方向にスライド移動するスライド部材をそれぞれ設け、装置本体に回動可能にロック／解除切り換え部材を備え、ロック／解除切り換え部材の回動軸の径方向外側に突出し、ロック／解除切り換え部材が回転されたときに、各スライド部材に対して、ロック位置方向と反対方向で係合する係合部を設けていることを特徴としている。
【００１６】
また、他の発明は、上述の各ハンドル部材のロック機構において、ハンドル部材の両端にそれぞれ設けられた各回動軸と、当該各回動軸に係合／離脱可能な各ストッパー部材と、当該各ストッパー部材を付勢する各付勢部材とが、各々同一部材で構成され左右対称に配置されたことを特徴としている。
【００１７】
また、他の発明は、上述の各ハンドル部材のロック機構において、付勢部材が、ストッパー部材と一体的に設けられ、ロック／解除切り換え部材に係合する部材に一体的に形成されたことを特徴としている。
【００１８】
また、本発明のロック機構付き可搬型装置は、装置本体と、この装置本体に回動可能に支持されたハンドル部材と、ハンドル部材の回動軸に係合することによりハンドル部材を回動不能にロックすると共に、ハンドル部材の回動軸から離脱することによりロックを解除するストッパー部材と、このストッパー部材を回動軸と係合するロック位置方向へ付勢する付勢部材と、を有するロック機構付き可搬型装置において、ハンドル部材の回動軸は、同軸上の離間した２箇所に配置され、ストッパー部材は、各回動軸にそれぞれ係合／離脱可能となるように配置され、付勢部材は、各ストッパー部材を、各回動軸に係合するロック位置方向へ付勢し、各ストッパー部材に、各ストッパー部材と一体的に、各回動軸の軸方向にスライド移動するスライド部材をそれぞれ設け、装置本体に回動可能にロック／解除切り換え部材を備え、ロック／解除切り換え部材の回動軸の径方向外側に突出し、ロック／解除切り換え部材が回転されたときに、各スライド部材に対して、ロック位置方向と反対方向で係合する係合部を設けていることを特徴としている。
【００１９】
【発明の実施の形態】
以下、本発明の第１の実施の形態のハンドル部材のロック機構を、図面に基づいて詳細に説明する。なお、以下の本発明の説明において、図９から図１１を用いて説明した従来技術と同様の構成部分については、説明を簡略化すると共に、図９から図１１で用いた符号と同じ符号を使用するものとする。また、この実施の形態のハンドル部材のロック機構は、ラジオ付きカセットレコーダーに用いられている。
【００２０】
図１は、本発明の第１の実施の形態のハンドル部材のロック機構を説明するためのロック機構部分の分解斜視図である。図２は、図１に示した各部材（カバー部分を除く）を組み込んだ状態でロック機構部分を示した部分拡大斜視図である。また、図３は、図２に示したロック機構部分にカバーを取り付けた状態を示した部分拡大斜視図である。
【００２１】
本発明の第１の実施の形態のハンドル部材のロック機構Ｌは、図１および図２に示す各部材から構成されている。以下、ハンドル部材１の装置本体への支持構造およびロック機構Ｌを構成する各部材について説明する。なお、ロック機構Ｌを構成する各部材、具体的には回動軸２，２、カバー４，４、軸受け５，５、ストッパー部材６，６、付勢部材となるバネ部材７，７、樹脂製のスライド部材８，８は、ハンドル部材１の両端部１ａ，１ａ側にそれぞれ左右対称に同じ部材で構成されている。そのため、部品を左右共用とすることができ、利便性が向上する。以下の説明では、一方側のみを主に説明する。
【００２２】
略コの字状のハンドル部材１は、箱形のラジオ付きカセットレコーダーの本体係合部３に、両端部１ａ，１ａを回動支点として回動可能に支持される。この実施の形態では、本体係合部３は、装置本体（図示省略）の上面の平面部に配置されている。そして、この実施の形態では、図４に示すように、ハンドル部材１は、ロック機構Ｌの作用により、持ち運び用の位置（＝ハンドル部材１が装置本体（この図４ではラジオ付きカセットレコーダー５０）の上面に対して垂直に立つ位置）で回動不能となるようにロックされる。
【００２３】
なお、図５に示すように、ハンドル部材１を薄型のラジオ付きカセットレコーダー５１の背面に取り付けても良い。この図５では、ハンドル部材１がラジオ付きカセットレコーダー５１の背面に対して所定の角度（約３０度程度）となる状態で回動不能となるようにロックされている。このため、ロック機構Ｌの作用により、薄型のラジオ付きカセットレコーダー５１を所定角度に傾けかつ倒れを防止し安定した状態で立たせることができる。
【００２４】
ロック機構Ｌの構造を、より具体的に説明する。ロック機構Ｌは、ストッパー部材６とハンドル部材１の回動軸２とを、後述するバネ部材７のバネ付勢力によって係合させることにより、ハンドル部材１を回動不能にロックするように構成される。また、一方、後述するツマミ１０の所定の方向（図２における矢示Ａ方向）に回転操作することにより、スライド部材８を動作させ、そのスライド部材８と一体のストッパー部材６をバネ部材７の付勢力に抗して回動軸２との係合位置から離脱するロック解除位置へスライド移動させると、ハンドル部材１が回動可能となるように構成される。各部の詳細な構成については、以下に説明する。
【００２５】
ハンドル部材１の端部１ａ（図１および図２では一方のみを示している）には、当該ハンドル部材１の回動支点となる金属製の回動軸２がインサート成形により一体的に固定されている。すなわち、回動軸２の先端部分２ａがコの字状のハンドル部材１の長手方向内側に突出するように、回動軸２がハンドル部材１に固定されている。なお、図１では、回動軸２の固定される位置を把握しやすくするため、固定位置を孔１ｂとして示している。
【００２６】
回動軸２の先端部分２ａは、マイナスドライバーの先端部のような尖った形状となっている。この回動軸２の先端部分２ａは、ハンドル部材１が所定の位置（所定の回動角度＝ロック位置）となっている場合に、ストッパー部材６の係合部６ａに設けられた隙間内に入り込んで係合することが可能となっている。ストッパー部材６は、装置本体に対してスライド移動はするが回転はしない。そのため、この回転方向において不動のストッパー部材６と回動軸２とが係合している場合は、回動軸２の回動がストッパー部材６によって阻止される。したがって、ハンドル部材１は回動不能にロックされる。
【００２７】
なお、本実施の形態では、ハンドル部材１が装置本体の上面に対して垂直となる位置のみがロック位置となっているが、ハンドル部材１を回動不能とするロック位置は複数あっても良い。ロック位置を複数とする場合は、ストッパー部材６の係合部６ａの形状を工夫することにより、回動軸２の先端部分２ａをはめ込むことが可能な角度を複数持たせる必要がある。
【００２８】
回動軸２は、本体係合部３とカバー４との間に挟持された状態でビス止め固定された軸受け５内に挿入され、この軸受け５に回動自在に支持される。この構成により、ハンドル部材１は、本体係合部３に対して回動可能に支持されることとなる。そして、回動軸２の先端部分２ａには、装置本体に対してスライド移動可能なストッパー部材６が係合／離脱可能で、かつ回動軸２の回転に対しては、その先端面が摺動可能に臨んでいる。
【００２９】
軸受け５は、回動軸２を内部に回動自在に支持する円筒状の筒状部５ａと、本体係合部３の上面への取り付け面となる２つの平面部５ｂ，５ｂと、筒状部５ａと各平面部５ｂ，５ｂとを連結する橋渡し部５ｃ，５ｃとを備えている。軸受け５は、筒状部５ａを本体係合部３の上面に形成された受け皿状部３ａにはめ込むことにより、本体係合部３の上に位置決めされる。
【００３０】
そして、取り付け面となる平面部５ｂ，５ｂには、それぞれ取り付け固定用のビス１１，１１（図２参照）を挿通するためのビス穴５ｄ，５ｄが形成されている。また、橋渡し部５ｃ，５ｃは、平面部５ｂ，５ｂの一端に接続されると共に、円筒状の筒状部５ａの外面部分に接続されている。橋渡し部５ｃ，５ｃは、途中部分で約９０度に折曲された略Ｌ字状の部位となっており、上述の受け皿状部３ａの上端部分が当該橋渡し部５ｃの下面に形成される隙間内に配置される。
【００３１】
カバー４は、軸受け５の筒状部５ａの上面を覆うアーチ状部４ａと、このアーチ状部４ａの下端から回動軸２から見て直角方向に平面状に延出された各平面部４ｂ，４ｂと、各平面部４ｂ，４ｂの外側の端部から垂下された外壁部４ｃ，４ｃとを有している。そして、各平面部４ｂ，４ｂには、上述した軸受け５を本体係合部３の上面との間で挟持してビス止め固定するためのビス１１，１１を挿通するためのビス穴４ｄ，４ｄがそれぞれ形成されている。カバー４を軸受け５上に載置して、これらの各ビス穴４ｄ，４ｄを軸受け５のビス穴５ｄ，５ｄおよび本体係合部３のビス穴３ｄ，３ｄ上に合わせてビス１１，１１を挿通し、本体係合部３にビス１１，１１を固定することにより、軸受け５がカバー４と本体係合部３とに挟まれた状態で装置本体に固定される。
【００３２】
軸受け５を覆うように、所定の幅を有する略Ｃ字型のバネ部材７がはめ込まれる。このバネ部材７の開口部となる隙間７ｂを形成する両先端部分７ａ，７ａは、ストッパー部材６と係合している。バネ部材７のストッパー部材と係合する部位、すなわち隙間７ｂと対向する位置でハンドル部材１側の面の一側の端部には、切り欠き状の凹部７ｄが形成されている。この凹部７ｄは、回動軸２を挿通させるためのスペースを確保するためのものとなっている。なお、バネ部材７の幅が狭い場合は、このような凹部７ｄを形成する必要はない。
【００３３】
ストッパー部材６とバネ部材７との係合は、両先端部分７ａ，７ａが、ストッパー部材６の平面部６ｃの回動軸２と対向していない外側の面に当接することで行われている。このため、ストッパー部材６が回動軸２から遠ざかる方向に移動しようとすると、バネ部材７のバネ付勢力によって、ストッパー部材６は、回動軸２に近づいて回動軸２の先端部分２ａが当該ストッパー部材６の係合部６ａ内にはまり込んで係合する方向（図２における矢示Ｂ，Ｂ’方向）に付勢されることとなる。すなわち、略Ｃ字型形状のバネ部材７は、ストッパー部材６を回動軸２と係合するロック位置方向へ付勢する付勢部材となっている。
【００３４】
なお、バネ部材７は、ツマミ１０の図１における矢示Ａ方向への回転操作により樹脂製のスライド部材８が付勢方向と反対方向（図６における矢示Ｃ，Ｃ’方向）にストッパー部材６と共にスライド移動すると、両先端部分７ａ，７ａがツマミ１０側に押し拡げられる（図６参照）。なお、ストッパー部材６の移動距離は、バネ部材７から外れてしまわない程度になっている。
【００３５】
なお、本実施の形態では、このように、ツマミ１０を所定角度回転させた後、ツマミ１０から手を離すと、ストッパー部材６がバネ部材７のバネ付勢力で回動軸２側へスライド移動する。そして、このときに、上述したハンドル部材１が、装置本体に対して垂直となるロック位置になっていれば、ストッパー部材６が回動軸２と係合することとなる。
【００３６】
なお、ハンドル部材１がロック位置となっていない場合は、ストッパー部材６の係合部６ａと回動軸２が係合せず、先端同士が当接する。この状態でハンドル部材１を回動させると、回動軸２の先端部分がストッパー部材６の先端部分に摺動しながら回動軸２は回転する。そして、この回動軸２の回転により、回動軸２がストッパー部材６の係合部６ａにはまり込むロック位置となると、バネ部材７の付勢力でストッパー部材６が回動軸２側にさらに移動して、ストッパー部材６と回動軸２とが係合することとなる。
【００３７】
しかし、上述の構成とせず、ツマミ１０を所定角度回転させると、その位置にてツマミ１０がロックされ、バネ付勢力によるストッパー部材６の回動軸２側への戻りを防ぐように構成しても良い。つまり、ツマミ１０から手を離しても、ストッパー部材６が回動軸２側へ戻らない構成としてもよい。
【００３８】
ストッパー部材６は、回動軸２に係合／離脱可能となっている。このストッパー部材６は、回動軸２に対して正対する平面部６ｃと、この平面部６ｃの回動軸２と対向する側の面に設けられた２つの凸部と両凸部の間の隙間で構成された係合部６ａから構成される。上述のバネ部材７の先端部７ａ，７ａは、当該ストッパー部材６の平面部６ｂの裏側の面（回動軸２と対向していない側の面）に回り込んで係合している。このため、ストッパー部材６は、ツマミ１０を操作することによってスライド部材８と一体的に回動軸２から離れる方向にスライド移動すると、バネ部材７の撓みにより回動軸２側へ戻る方向に付勢される。
【００３９】
なお、本実施の形態では、ストッパー部材６が回動軸２から離れて、バネ部材７の隙間７ｂが拡がるとその撓みによってストッパー部材６を回動軸２側に戻す付勢力が働くように構成したが、ストッパー部材６と回動軸２が係合している状態でさらにストッパー部材６を回動軸２へ押し付けるように付勢力が働くように構成しても良い。
【００４０】
なお、図２は、ストッパー部材６の係合部６ａに回動軸２の先端部分２ａがはまり込んで、ストッパー部材６と回動軸２が係合した状態を示している。この状態においては、ハンドル部材１は装置本体に対して回動不能にロックされる。このため、このハンドル部材１がロックされた状態でハンドル部材１を持って運ぶようにすると、装置本体がふらつかず持ち運び状態が安定化する。なお、本実施の形態のロック機構Ｌを、上述した図５の構造のラジオ付きカセットレコーダー５１に用いると、ラジオ付きカセットレコーダー５１を所定の角度で安定した状態で立たせることが出来る。
【００４１】
一方、図６に示すように、ツマミ１０を回転操作することにより、ストッパー部材６が回動軸２から離れるロック解除位置へ移動している場合は、回動軸２が取り付けられたハンドル部材１は、装置本体に対して回動可能となる。そのため、この回動可能な状態を利用して、ハンドル部材１を回動させ、装置本体の所定位置にハンドル部材１を容易に収納することが可能となる。
【００４２】
ストッパー部材６の回動軸２と対向していない側の面には、上述したように、樹脂製のスライド部材８が一体的に取り付けられている。スライド部材８は、装置本体に対して回転可能なツマミ１０を回転させることによって、装置本体に対してスライド移動する。スライド部材８がスライド移動すると、このスライド部材８と一体的にストッパー部材６が、上述のバネ部材７のバネ付勢力に抗して回動軸２と離れる方向にスライド移動する。
【００４３】
スライド部材８は、所定の厚みを有する四角柱状の棒状部材で構成され、ストッパー部材６が一体的に取り付けられた端部とは反対側の端部は鈎状に湾曲した形状の部位（以下、鈎状部位という）８ｂを有している。そして、この鈎状部位８ｂの湾曲した内側の面同士が対向配置されるように２つのスライド部材８が配置され、各スライド部材８の鈎状部位８ｂとは反対側の端部８ｃにそれぞれストッパー部材６が固定されている。
【００４４】
なお、図７に示すように、スライド部材８の装置本体の上面と対向する面（図１および図２においては下面）には、装置本体に形成された溝（図示省略）に摺動可能にはまり込むスライダー８ａ，８ａがそれぞれ２つずつ取り付けられている。図７は、ストッパー部材６とスライド部材８を、図１および図２における下面側から見た斜視図となっている。スライド部材８は、これらのスライダー８ａに案内されて装置本体に対してスライド移動する。
【００４５】
また、２つのスライド部材８の鈎状部位８ｂ，８ｂの対向する部位の間には、ツマミ１０による回転操作を行うことにより、当該２つのスライド部材８を同時に反対方向にスライド移動させるためのロック／解除切り換え部材９が１つ配置されている。ロック／解除切り換え部材９は、ツマミ１０に一体形成されており、円柱形状の軸部９ａと、この軸部９ａの外周面に取り付けられた２つの係合部９ｂ，９ｂとを備えている。そして、ロック／解除切り換え部材９の軸部９ａが、装置本体の内側から外側空間に突出するように固定されたツマミ１０とネジ１２にネジ固定されることで、ツマミ１０は装置本体に対しては回転自在に固定される。
【００４６】
ロック／解除切り換え部材９の２つの係合部９ｂ，９ｂは、軸部９ａの外周面であってその長手方向が軸方向に沿うように設けられていると共に互いが約１８０度離れた対称位置となるように、かつ当該軸部９ａの径方向外側にその先端が突出するように軸部９ａに一体形成されている。そして、各係合部９ｂの先端部分は、上述のスライド部材８の鈎状部材８ｂの内周面に形成された２つの屈曲部位の先端側の部位（以下、被係合部という）８ｅと、その被係合部８ｅに連なる傾斜面部８ｆに係合する。ハンドル部材１がロックされているときは、各係合部９ｂは、その前方面が傾斜面部８ｆに当接し、ロック状態を保持している。
【００４７】
一方、ツマミ１０が操作されてロック／解除切り換え部材９が回転すると、各係合部９ｂは回転方向前方の被係合部８ｅと係合する。このため、図２における矢示Ａ方向にツマミ１０を回転すると、ロック／解除切り換え部材９から回転力を受けたスライド部材８が、その回転方向の接線方向にスライド移動する。すなわち、スライド部材８は、ストッパー部材６と一体的に、ストッパー部材６を回動軸２から離す方向に移動する。これによって、ストッパー部材６は、ロック解除位置へと移動する。
【００４８】
このように、本実施の形態では、この１つのツマミ１０を回転させることにより、２つのスライド部材８，８を同時に互いに反対方向にスライド移動させる。そして、この動作により、２つのストッパー部材６，６と各回動軸２とが係合している状態が同時に解除され、回動軸２と一体的に動作するハンドル部材１が装置本体に対して回動可能な状態となる。なお、本実施の形態では、１つのツマミ１０で２つのストッパー部材６，６のスライド移動を行うようにしたが、ロック機構部分を１つとし、１つのツマミ１０を回転操作することにより１つのスライド部材８をスライドさせて１つのストッパー部材６を回動軸２から離脱するように構成しても良い。
【００４９】
ツマミ１０は、利用者が指等でロック／解除切り換え部材９に回転力を与えるために操作する操作部１０ａと、この操作部１０ａが立設された台座部１０ｂとから構成されている。そして、台座部１０ｂの操作部１０ａが取り付けられた側とは反対側（裏側）の面には、上述のロック／解除切り換え部材９が一体的に設けられている。このため、ツマミ１０を回転させると、ロック／解除切り換え部材９が、ツマミ１０と一体的に回転する。
【００５０】
上述したように、本実施の形態のハンドル部材１のロック機構Ｌでは、従来技術のようにバネ力に抗してストッパー部材６を手で引っ張るのではなく、ツマミ１０を利用してロック／解除切り換え部材９を回転操作するだけで、容易にストッパー部材６を回動軸２から離脱させることが可能となる。したがって、部品点数の少ない簡単な構成で、かつロック状態の解除が容易な構成となっており、ロック状態解除時の操作性が向上する機構となっている。
【００５１】
すなわち、従来技術のロック機構では、ハンドル部材１のロック状態を解除するためには、ハンドル部材１の両端の各回動軸２と係合している２つのストッパー部材６を同時に手で引っ張って各係合を外す必要がある。しかし、上述の実施の形態によれば、１つのロック／解除切り換え部材９をツマミ１０で回動させるだけで、２つのストッパー部材６を同時に回動軸２との係合から外すことができる。したがって、ロック状態からの解除をより簡単な操作で行うことが可能なロック機構となる。
【００５２】
次に、本発明のハンドル部材のロック機構の第２の実施の形態を図８を用いて以下に説明する。なお、第２の実施の形態は、スライダー部材の構成が、上述の第１の実施の形態と異なるだけで、他の構成は第１の実施の形態とほぼ同じである。具体的にいうと、ストッパー部材６およびこのストッパー部材６と係合／離脱可能な回動軸２、ハンドル部材１は、第１の実施の形態と同じ構成である。また、カバー４と軸受け５も、上述の第１の実施の形態と同じ構成となっている。したがって、ストッパー部材６と一体のスライダー部材の構成のみ説明するものとする。
【００５３】
図８に示すように、第２の実施の形態では、ストッパー部材６を回動軸２と係合する側に付勢する付勢部材となる樹脂製のバネ部１７が、樹脂製のスライド部材１８の装置本体と対向する面に形成されている。
【００５４】
スライド部材１８は、所定の厚みを有する四角柱状の棒状部材で構成され、ストッパー部材６が一体的に取り付けられた端部とは反対側の端部は鈎状に湾曲した形状の部位（以下、鈎状部位という）１８ｂを有している。そして、この鈎状部位１８ｂの湾曲した内側の面同士が対向配置されるように２つのスライド部材１８が配置され、各スライド部材１８の鈎状部位１８ｂとは反対側の端部１８ｃにそれぞれストッパー部材６が固定されている。
【００５５】
なお、図８に示すように、スライド部材１８の装置本体（図示省略）の上面と対向する面（図８における下側の面）には、装置本体に形成された溝（図示省略）に摺動可能にはまり込むスライダー１８ａ，１８ａがそれぞれ２つずつ取り付けられている。スライド部材１８は、これらのスライダー１８ａに案内されて本体に対してスライド移動する。
【００５６】
また、２つのスライド部材１８の鈎状部位１８ｂ，１８ｂの対向する部位の間には、回転操作を行うことにより、当該２つのスライド部材１８を同時にスライド移動させるためのロック／解除切り換え部材９が１つ配置されている。このロック／解除切り換え部材９は、上述の第１の実施の形態と同様の構成となっている。
【００５７】
そして、ロック／解除切り換え部材９の２つの係合部９ｂ，９ｂの各先端部分は、それぞれスライド部材１８の鈎状部材１８ｂの内周面に形成された２つの屈曲部位のうちの先端側の部位（以下、被係合部という）１８ｅと、その被係合部位１８ｅに連なる傾斜面１８ｆに係合する。このため、ツマミ１０が操作されてロック／解除切り換え部材９が回転すると、各係合部９ｂは被係合部１８ｅと係合する。
【００５８】
この結果、ロック／解除切り換え部材９の回転により、各係合部９ｂは係合している被係合部１８ｅからスライド部材１８に回転力を伝達し、回転力を受けたスライド部材１８が、その回転方向の接線方向にスライド移動する。
【００５９】
また、スライド部材１８の装置本体（図示省略）の上面と対向する面（図８における下側の面）の２つのスライダー１８ａ，１８ａの間には、付勢部材となるＵ字形状のバネ部１７が一体的に形成されている。このバネ部１７は、装置本体上面に形成された溝内にはまり込んでいる。バネ部１７は、ストッパー部材６が取り付けられた側の端部１７ａがスライド部材１８の下面に一体的に固定され、他側の端部１７ｂはフリーとなっている。そして、このフリーとなっている側の端部１７ｂの一側の面が、装置本体から外側空間に突出するように形成された突起１９に当接している。
【００６０】
このように構成されたバネ部１７は、ストッパー部材６と回動軸２とが係合する位置関係となるようにスライド部材１８が装置本体に対して組み込まれると、フリーとなっている側の端部１７ｂが突起１９に当接する。この状態においては、バネ部１７は撓んでいない。
【００６１】
そして、ツマミ１０を所定の方向（図８中の矢示Ａ’方向）に回転させて、２つのスライド部材１８，１８を各ストッパー部材６，６と共にバネ部１７のバネ付勢力に抗して同時に互いに反対方向にスライド移動させると、バネ部１７は両端部１７ａ，１７ａが近づくように撓む。これによって、スライド部材１８に一体的に取り付けられたストッパー部材６は、バネ部１７のバネ付勢力により、回動軸２と係合する位置側に付勢されることとなる。
【００６２】
このように構成された第２の実施の形態のハンドル部材のロック機構では、上述のツマミ１０の回転操作により、２つのスライド部材１８，１８をバネ部１７のバネ付勢力に抗して同時に反対方向にスライド移動させる。これによって、２つのストッパー部材６，６が同時に各回動軸２から離れるロック解除位置に移動する。すなわち、図８における右側に配置されたスライド部材１８は、ツマミ１０が矢示Ａ’方向に回転するとロック／解除切り換え部材９から力を受けて、矢示Ｄ方向へ移動する。これによって、ハンドル部材１は、装置本体に対して回転自在となる。
【００６３】
なお、本実施の形態では、バネ部１７の端部１７ｂが装置本体から突出された突起１９に当接するように構成しているが、突起１９の代わりにスライド部材１８の下側の面に形成した溝内の壁面（図示省略）に当接させるようにしても良い。
【００６４】
また、本実施の形態では、ロック状態となるようにスライド部材１８の組み込むと、バネ部１７は撓まない状態でフリーの端部１７ｂが突起１９に当接するように構成されている。しかし、スライド部材１８を装置本体に組み込むと、両端部１７ａ，１７ｂ間が縮まってバネ部１７が撓み状態となるように構成されても良い。すなわち、組み込んだ状態において、バネ部１７が、ストッパー部材６を回動軸２側へ付勢するように構成しても良い。なお、このように構成した場合は、ツマミ１０の回転操作により、２つのスライド部材１８，１８を各ストッパー部材６，６と共にバネ部１７のバネ付勢力に抗して同時に互いに反対方向にスライド移動させると、バネ部１７は組み込み時の撓みより、さらに両端部１７ａ，１７ａが近づくように撓むこととなる。
【００６５】
なお、上述の第２の実施の形態のように、ストッパー部材６を回動軸２に係合させるロック位置方向に付勢する付勢手段としてのバネ部１７を、スライド部材１８に一体的に設けると、上述の第１の実施の形態と比べてさらに部品点数が削減され、コストダウンが図れると共に組み立て易さが向上する。
【００６６】
また、上述の第２の実施の形態では、Ｕ字形状のバネ部１７が、両スライダー１８ａ，１８ａの間に１つだけ形成されているが、バネ付勢力を向上させるためにバネ部１７を複数設けても良い。さらに、バネ付勢力を向上させるために、Ｕ時形状のバネ部１７の肉厚を厚く構成したり、あるいはツマミ１０の操作性を向上させるためにバネ部１７の肉厚を薄くしてバネ付勢力を弱くしても良い。
【００６７】
上述した各実施の形態のハンドル部材のロック機構は、以下に示すような各効果を奏する。すなわち、従来技術のロック機構では、ハンドル部材の両端の各回動軸と係合している各ストッパー部材を同時に手で引っ張らないとロックの解除が出来ないが、上述の各実施の形態によれば、１つのロック／解除切り換え部材を回動操作するだけで、２つのストッパー部材を同時にスライド移動させて、各回動軸との係合を外すことが可能となる。したがって、ロック状態からの解除をより簡単な操作で行うことができる。
【００６８】
また、上述した各実施の形態によれば、ロック／解除切り換え部材の径方向外側に突出するように係合部を設け、この係合部がストッパー部材と共にスライド移動するスライド部材と係合するという簡単な構成で、２つのストッパー部材を同時にスライド移動させて、各回動軸との係合を外すことが可能となる。
【００６９】
また、上述した各実施の形態によれば、ハンドル部材１の両端１ａ，１ａにそれぞれ設けられた各回動軸２，２と、当該各回動軸２に係合／離脱可能な各ストッパー部材６と、各ストッパー部材６を付勢する各付勢部材７とが、各々同一部材で構成され左右対称に配置されている。そのため、左右で部品を共用することが可能となり、利便性が向上する。
【００７０】
また、上述した第２の実施の形態によれば、付勢部材が、ストッパー部材と一体的に設けられ、ロック／解除切り換え部材に係合する部材に一体的に形成されている。そのため、部品点数がさらに少なくなり、簡単な構成となる。
【００７１】
なお、上述の各実施の形態は、本発明の好適な実施の形態の各例であるが、これらに限定されるものではなく、本発明の要旨を逸脱しない範囲において種々変形実施可能である。例えば、上述の各実施の形態では、ラジオ付きカセットレコーダーのハンドル部材のロック機構として説明したが、本発明は、ラジオ付きのカセットレコーダー以外の電子機器、例えば、可搬型のテレビ、ラジオ、パーソナルコンピュータ等にも適用することが出来る。また、電気製品特に電子機器装置用のハンドル部材のロック機構に限定されるものではなく、ハンドル付きの可搬型装置であれば、適用することが出来る。
【００７２】
また、上述の各実施の形態では、ストッパー部材６とスライド部材８，１８を別部材で構成したが、これらを別部材とせず、１つの部材として構成するようにしても良い。さらに、ロック／解除切り換え部材９としては回転操作ではなく、スライド操作させるものとして、そのスライド移動によって２つのスライド部材８，８やスライド部材１８，１８が同時に反対方向に動作するような構成としても良い。
【００７３】
また、軸部９ａを円錐状とし、ツマミ１０を押しボタン式とし、このツマミ１０を押すことで、円錐状の太い部分がスライド部材８，８，１８，１８の鈎状部位８ｂ，８ｂ，１８ｂ，１８ｂ間に入り込み、スライド部材８，８，１８，１８を回動軸２から離れる方向にスライド移動させるようにしても良い。
【００７４】
【発明の効果】
以上説明したように、本発明によれば、ロック／解除切り換え部材を操作するだけでストッパー部材と回動軸との係合を外すように構成したため、部品点数の少ない簡単な構成で、しかもハンドル部材の取り扱い時の操作性を向上することが可能となる。
【図面の簡単な説明】
【図１】本発明の第１の実施の形態のハンドル部材のロック機構を説明するための図で、ハンドル部材の一部およびロック機構を示す分解斜視図である。
【図２】図１のロック機構をカバーを除いて組み込んだ状態であって、ストッパー部材が回動軸と係合しているロック位置にある状態を示した部分拡大斜視図である。
【図３】図１のロック機構の一部を示す部分拡大斜視図である。
【図４】本発明のロック機構を備えたラジオ付きカセットレコーダーを、ロック機構を作用させてハンドル部材を持ち運び位置でロックさせた状態を示した斜視図である。
【図５】本発明のロック機構を備えた薄型のラジオ付きカセットレコーダーを、ロック機構を作用させて所定の角度に傾けて立たせた状態を示した斜視図である。
【図６】図１のロック機構をカバーを除いて組み込んだ状態であって、ストッパー部材が回動軸から離脱しているロック解除位置にある状態を示した部分拡大斜視図である。
【図７】図１のロック機構のスライダー部材を図１における下面側から見た斜視図である。
【図８】本発明の第２の実施の形態のハンドル部材のロック機構の特徴を説明するための図で、スライダー部材を本体と対向する側の面から示した斜視図である。
【図９】従来のハンドル部材のロック機構を説明するための図で、ハンドル部材およびロック機構を、付勢部材を除いた状態で組み立て、かつレバーを内側に引っ張ってストッパー部材と回動軸との係合を外した状態を示した斜視図である。
【図１０】図９のハンドル部材の一部およびロック機構の各部を示す分解斜視図である。
【図１１】図１０のハンドル部材およびロック機構の主要部を示した部分正面図である。
【符号の説明】
１  ハンドル部材
１ａ  （ハンドル部材の）端
２  回動軸
３  本体係合部
６  ストッパー部材
７  バネ部材（付勢部材）
８  スライド部材
９  ロック／解除切り換え部材
９ｂ  係合部
Ｌ  ロック機構
【図１】
0003931059.tif 000002
【図２】
0003931059.tif 000003
【図３】
0003931059.tif 000004
【図４】
0003931059.tif 000005
【図５】
0003931059.tif 000006
【図６】
0003931059.tif 000007
【図７】
0003931059.tif 000008
【図８】
0003931059.tif 000009
【図９】
0003931059.tif 000010
【図１０】
0003931059.tif 000011
【図１１】
0003931059.tif 000012